(57)【要約】【課題】本発明は、ディスプレイ装置に関し、さらに詳細には、プラズマディスプレイ装置の駆動環境によって駆動電圧の大きさを調節し、駆動特性を向上させるプラズマディスプレイ装置及びその駆動方法を提供する。【解決手段】本発明のプラズマディスプレイ装置は、アドレス電極、スキャン電極及びサステイン電極を含むプラズマディスプレイパネルと、サブフィールド期間において前記スキャン-電極に第１の基底電圧以下の駆動電圧を供給するスキャン駆動部と、サブフィールド期間において前記サステイン電極に第２の基底電圧以下の駆動電圧を供給するサステインの駆動部と、前記アドレス電極に第３の基底電圧より大きいデータパルスの電圧を供給するデータ駆動部とを備えることを特徴とする。【選択図】図１
2007011378.tif 000002
【特許請求の範囲】
【請求項１】
アドレス電極、スキャン電極及びサステイン電極を含むプラズマディスプレイパネルと、
サブフィールド期間において前記スキャン電極に第１の基底電圧以下の駆動電圧を供給するスキャン駆動部と、
サブフィールド期間において前記サステイン電極に第２の基底電圧以下の駆動電圧を供給するサステイン駆動部と、
前記アドレス電極に第３の基底電圧より大きいデータパルスの電圧を供給するデータ駆動部と、
を備え、
前記第１の基底電圧及び前記第２の基底電圧は、前記データパルスの電圧より小さいことを特徴とするプラズマディスプレイ装置。
【請求項２】
前記サブフィールド期間は、
リセット期間、アドレス期間及びサステイン期間を含む全体期間であることを特徴とする請求項１に記載のプラズマディスプレイ装置。
【請求項３】
前記スキャン駆動部が前記スキャン電極に供給する駆動電圧は、
リセット期間に前記第１の基底電圧から漸進的に立ち下がる第１のセットダウンパルスの電圧、アドレス期間に一定レベルを維持するスキャン基準電圧、アドレス期間に前記スキャン基準電圧レベルから立ち下がるスキャンパルスの電圧及びサステイン期間に供給されるサステインパルスの電圧を備えることを特徴とする請求項１に記載のプラズマディスプレイ装置。
【請求項４】
前記サステイン駆動部が前記サステイン電極に供給する駆動電圧は、
リセット期間に前記第２の基底電圧から立ち下がる第２のセットダウン電圧及びサステイン電圧を備えることを特徴とする請求項１に記載のプラズマディスプレイ装置。
【請求項５】
前記スキャン駆動部及び前記サステイン駆動部は、
サステイン期間に前記第１の基底電圧及び前記第２の基底電圧から立ち下がるサステインパルスを交番に供給することを特徴とする請求項１に記載のプラズマディスプレイ装置。
【請求項６】
前記スキャン駆動部及び前記サステイン駆動部は、
サステイン期間に前記第１の基底電圧及び前記第２の基底電圧より低いレベルの電圧から前記第１の基底電圧及び前記第２の基底電圧まで立ち上がるサステインパルスを交番に供給することを特徴とする請求項１に記載のプラズマディスプレイ装置。
【請求項７】
前記第１の基底電圧及び前記第２の基底電圧は、前記第３の基底電圧より小さいか、又は同じであることを特徴とする請求項１に記載のプラズマディスプレイ装置。
【請求項８】
前記第１の基底電圧、前記第２の基底電圧及び前記第３の基底電圧は全て同じレベルであることを特徴とする請求項１に記載のプラズマディスプレイ装置。
【請求項９】
アドレス電極、スキャン電極及びサステイン電極を含むプラズマディスプレイパネルと、
サブフィールド期間において前記スキャン電極に印加される全ての駆動パルスを負極性として印加するようにするスキャン駆動部と、
サブフィールド期間において前記サステイン電極に印加される全ての駆動パルスを負極性として印加するようにするサステイン駆動部と、
前記アドレス電極に正極性のデータパルスの電圧を供給するデータ駆動部と、
を備えることを特徴とするプラズマディスプレイ装置。
【請求項１０】
前記スキャン駆動部が前記スキャン電極に供給する負極性パルスを供給するための駆動電圧は、
リセット期間に第１の基底電圧から漸進的に立ち下がる第１のセットダウンパルス電圧、アドレス期間に第１の基底電圧より低い一定レベルを維持するスキャン基準電圧及びアドレス期間に前記スキャン基準電圧レベルから立ち下がるスキャンパルス電圧を備え、
前記サステイン駆動部が前記サステイン電極に供給する負極性パルスを供給するための駆動電圧は、
リセット期間に第２の基底電圧から立ち下がる第２のセットダウンパルスの電圧を備えることを特徴とする請求項９に記載のプラズマディスプレイ装置。
【請求項１１】
前記スキャン駆動部及び前記サステイン駆動部は、
サステイン期間に前記第１の基底電圧及び前記第２の基底電圧から立ち下がるサステインパルスを交番に供給することを特徴とする請求項１０に記載のプラズマディスプレイ装置。
【請求項１２】
前記スキャン駆動部及び前記サステイン駆動部は、
サステイン期間に前記第１の基底電圧及び前記第２の基底電圧より低いレベルから前記第１の基底電圧及び前記第２の基底電圧まで立ち上がるサステインパルスを交番に供給することを特徴とする請求項１０に記載のプラズマディスプレイ装置。
【請求項１３】
前記第１の基底電圧、前記第２の基底電圧及び前記第３の基底電圧は全てグラウンドレベルであることを特徴とする請求項１０に記載のプラズマディスプレイ装置。
【請求項１４】
前記スキャン駆動部は、
前記スキャン電極に第１の基底電圧から負極性の第１のセットダウン電圧まで所定の傾きで立ち下がる立ち下がりランプ波形を供給する第１のセットダウン電圧供給部と、
該第１のセットダウン電圧供給部に並列に接続され、前記スキャン電極に前記スキャン電圧を供給するスキャン電圧供給部と、
前記第１のセットダウン電圧供給部と前記スキャン電圧供給部とに並列に接続され、前記スキャン電極に負のサステイン電圧を供給する第１のサステインパルス供給部、及び、前記第１のセットダウン電圧供給部と前記スキャン電圧供給部とに並列に接続され、前記スキャン電極に前記スキャン基準電圧を供給するスキャン基準電圧供給部と、
を備えることを特徴とする請求項１０に記載のプラズマディスプレイ装置。
【請求項１５】
前記第１のサステインパルス供給部は、
前記スキャン電極に前記第１の基底電圧を供給する第１の基底電圧供給部と、
前記スキャン電極に前記負のサステイン電圧を供給する第１のサステイン電圧供給部と、
を備えることを特徴とする請求項１４に記載のプラズマディスプレイ装置。
【請求項１６】
前記サステイン駆動部は、
前記サステイン電極に前記第２のセットダウン電圧を供給する第２のセットダウン電圧供給部及び前記第２のセットダウン電圧供給部に並列に接続され、前記サステイン電極に負のサステイン電圧及び第２の基底電圧を供給する第２のサステインパルス供給部を備えることを特徴とする請求項１０に記載のプラズマディスプレイ装置。
【請求項１７】
スキャン電極に第１の基底電圧から漸進的に立ち下がる第１のセットダウンパルスを供給し、前記第１の基底電圧より低いスキャン基準電圧から立ち下がるスキャンパルスを供給し、前記第１の基底電圧と等しい第１のサステイン基底電圧から立ち下がるか、又は前記スキャン基準電圧より低い第２のサステイン基底電圧から前記第１の基底電圧まで立ち上がるサステインパルスを供給するステップと、
前記スキャン電極に前記第１のセットダウンパルスを供給する前に、第２の基底電圧から立ち下がる第２のセットダウンパルスをサステイン電極に供給し、前記第２の基底電圧と等しい第１のサステイン基底電圧から立ち下がるか、又は前記第２の基底電圧より低い第２のサステイン基底電圧から前記第２の基底電圧まで立ち上がるサステインパルスを供給するステップと、
前記スキャン電極に前記スキャンパルスを供給する間、前記アドレス電極に第３の基準電圧から立ち上がるデータパルスの電圧を供給するステップと、
を含むことを特徴とするプラズマディスプレイ装置の駆動方法。
【請求項１８】
前記第２のセットダウンパルスは漸進的に立ち下がるパルスを備えることを特徴とする請求項１７に記載のプラズマディスプレイ装置の駆動方法。
【請求項１９】
前記第１の基底電圧及び前記第２の基底電圧は、前記第３の基底電圧より小さいか、又は同じであることを特徴とする請求項１７に記載のプラズマディスプレイ装置の駆動方法。
【請求項２０】
前記第１の基底電圧、前記第２の基底電圧及び前記第３の基底電圧は全てグラウンドレベルであることを特徴とする請求項１７に記載のプラズマディスプレイ装置の駆動方法。
【発明の詳細な説明】
【技術分野】
【０００１】
本発明は、ディスプレイ装置に関し、さらに詳細には、プラズマディスプレイ装置及びその駆動方法に関する。
【背景技術】
【０００２】
プラズマディスプレイ装置は一般に、画像を表示するプラズマディスプレイパネルと、該プラズマディスプレイパネルを駆動させるための駆動部とがプラズマディスプレイパネルの背面に取り付けられて形成される。
【０００３】
通常、プラズマディスプレイパネルは、前面パネルと後面パネルとの間に形成された隔壁が一つの単位セルをなすものであり、各セル内には、ネオン（Ｎｅ）、ヘリウム（Ｈｅ）又はネオン及びヘリウムの混合気体（Ｎｅ＋Ｈｅ）のような主放電気体と少量のキセノンとを含有する不活性ガスが充填されている。前述した単位放電セルは、複数個が集まって一つの画素をなす。例えば、赤色（Ｒｅｄ、Ｒ）セル、緑色（Ｇｒｅｅｎ、Ｇ）セル、青色（Ｂｌｕｅ、Ｂ）セルが集まって一つのピクセルをなす。
【０００４】
このような単位放電セルに高周波電圧が印加されて放電されるとき、不活性ガスは真空紫外線（Vacuum Ultra Violet rays）を発生し、隔壁間に形成された蛍光体を発光させて画像が実現される。
【０００５】
プラズマディスプレイパネルは、複数の電極、例えば、スキャン電極Ｙ、サステイン電極Ｚ、アドレス電極Ｘを含み、このようなプラズマディスプレイパネルの電極に駆動電圧を供給するための駆動部がそれぞれ電極に接続される。
【０００６】
各駆動部は、プラズマディスプレイパネルの駆動時、所定期間に、例えば、リセット期間にリセットパルス、アドレス期間にスキャンパルス、サステイン期間にサステインパルスのような駆動パルスをプラズマディスプレイパネルの電極に供給して画像を実現するようになる。このようなプラズマディスプレイ装置は、薄く、かつ、軽い構成が可能であるため、現在、表示装置として脚光を浴びている。
【０００７】
一方、前記のようなパルスを各電極に供給し、プラズマディスプレイ装置を駆動するにあって、様々な要因によって駆動の信頼性が低下される恐れがある。
【０００８】
例えば、正の電圧と負の電圧の両方を供給する場合などの高電圧の駆動時、種々の問題点が表われる。一例として、耐圧の高い素子の使用により製造費が上昇する可能性がある。また、電圧を供給する電圧源だけでなく、回路も複雑になるが、これは、駆動の不安定性を招く問題点がある。
【０００９】
また、電圧の印加時、電極間に及ぼす電気的影響により駆動に悪影響を及ぼすだけでなく、素子の損傷まで招くことになる。一例として、スキャン電極とサステイン電極とにパルスが印加され、放電が発生する時インパルス（impulse current）成分のノイズがアドレス電極に流入され、アドレス電極と接続された部品を破損させるようになる問題点がある。
【００１０】
このような問題点を考慮し、プラズマディスプレイ装置の駆動の安定性を向上させるための研究が続いている。
【発明の開示】
【発明が解決しようとする課題】
【００１１】
本発明は、上記の従来の問題を解決するためになされたものであって、その目的は、プラズマディスプレイ装置の駆動環境によって駆動電圧の大きさを調節し、駆動特性を向上させることにある。
【課題を解決するための手段】
【００１２】
本発明の第１の実施形態に係るプラズマディスプレイ装置は、アドレス電極、スキャン電極及びサステイン電極を含むプラズマディスプレイパネルと、サブフィールド期間において前記スキャン電極に第１の基底電圧以下の駆動電圧を供給するスキャン駆動部と、サブフィールド期間において前記サステイン電極に第２の基底電圧以下の駆動電圧を供給するサステイン駆動部と、前記アドレス電極に第３の基底電圧より大きいデータパルスの電圧を供給するデータ駆動部とを備え、前記第１の基底電圧及び前記第２の基底電圧は、前記データパルスの電圧より小さいことを特徴とする。
【００１３】
前記サブフィールド期間が、リセット期間、アドレス期間及びサステイン期間を含む全体期間であることを特徴とする。
【００１４】
前記スキャン駆動部が前記スキャン電極に供給する駆動電圧は、リセット期間に前記第１の基底電圧から漸進的に立ち下がる第１のセットダウンパルスの電圧、アドレス期間に一定レベルを維持するスキャン基準電圧、アドレス期間に前記スキャン基準電圧レベルから立ち下がるスキャンパルスの電圧及びサステイン期間に供給されるサステインパルスの電圧を備えることを特徴とする。
【００１５】
前記サステイン駆動部が前記サステイン電極に供給する駆動電圧は、リセット期間に前記第２の基底電圧から立ち下がる第２のセットダウン電圧及びサステイン電圧を備えることを特徴とする。
【００１６】
前記スキャン駆動部及び前記サステイン駆動部が、サステイン期間に前記第１の基底電圧及び前記第２の基底電圧から立ち下がるサステインパルスを交番に供給することを特徴とする。
【００１７】
前記スキャン駆動部及び前記サステイン駆動部が、サステイン期間に前記第１の基底電圧及び前記第２の基底電圧より低いレベルの電圧から前記第１の基底電圧及び前記第２の基底電圧まで立ち上がるサステインパルスを交番に供給することを特徴とする。
【００１８】
前記第１の基底電圧及び前記第２の基底電圧が前記第３の基底電圧より小さいか、又は同じであることを特徴とする。
【００１９】
前記第１の基底電圧、前記第２の基底電圧及び前記第３の基底電圧が全て同じようなレベルであることを特徴とする。
【００２０】
本発明の第２の実施形態に係るプラズマディスプレイ装置は、アドレス電極、スキャン電極及びサステイン電極を含むプラズマディスプレイパネルと、サブフィールド期間において前記スキャン電極に印加される全ての駆動パルスを負極性として印加するようにするスキャン駆動部と、サブフィールド期間において前記サステイン電極に印加される全ての駆動パルスを負極性として印加するようにするサステイン駆動部と、前記アドレス電極に正極性のデータパルスの電圧を供給するデータ駆動部とを備えることを特徴とする。
【００２１】
前記スキャン駆動部が前記スキャン電極に供給する負極性パルスを供給するための駆動電圧は、リセット期間に第１の基底電圧から漸進的に立ち下がる第１のセットダウンパルス電圧、アドレス期間に第１の基底電圧より低い一定レベルを維持するスキャン基準電圧及びアドレス期間に前記スキャン基準電圧レベルから立ち下がるスキャンパルス電圧を備え、前記サステイン駆動部が前記サステイン電極に供給する負極性パルスを供給するための駆動電圧は、リセット期間に第２の基底電圧から立ち下がる第２のセットダウンパルスの電圧を備えることを特徴とする。
【００２２】
前記スキャン駆動部及び前記サステイン駆動部が、サステイン期間に前記第１の基底電圧及び前記第２の基底電圧から立ち下がるサステインパルスを交番に供給することを特徴とする。
【００２３】
前記スキャン駆動部及び前記サステイン駆動部が、サステイン期間に前記第１の基底電圧及び前記第２の基底電圧より低いレベルから前記第１の基底電圧及び前記第２の基底電圧まで立ち上がるサステインパルスを交番に供給することを特徴とする。
【００２４】
前記第１の基底電圧、前記第２の基底電圧及び前記第３の基底電圧が全てグラウンドレベルであることを特徴とする。
【００２５】
前記スキャン駆動部が、前記スキャン電極に第１の基底電圧から負極性の第１のセットダウン電圧まで所定の傾きで立ち下がる立ち下がりランプ波形を供給する第１のセットダウン電圧供給部と、該第１のセットダウン電圧供給部に並列に接続され、前記スキャン電極に前記スキャン電圧を供給するスキャン電圧供給部と、前記第１のセットダウン電圧供給部と前記スキャン電圧供給部とに並列に接続され、前記スキャン電極にサステイン電圧を供給する第１のサステインパルス供給部及び前記第１のセットダウン電圧供給部と前記スキャン電圧供給部とに並列に接続され、前記スキャン電極に前記スキャン基準電圧を供給するスキャン基準電圧供給部とを備えることを特徴とする。
【００２６】
前記第１のサステインパルス供給部が、前記スキャン電極に前記第１の基底電圧を供給する第１の基底電圧供給部と、前記スキャン電極に前記サステイン電圧を供給する第１のサステイン電圧供給部とを備えることを特徴とする。
【００２７】
前記サステイン駆動部が、前記サステイン電極に前記第２のセットダウン電圧を供給する第２のセットダウン電圧供給部及び前記第２のセットダウン電圧供給部に並列に接続され、前記サステイン電極にサステイン電圧及び第２の基底電圧を供給する第２のサステインパルス供給部を備えることを特徴とする。
【００２８】
本発明の第３の実施形態に係るプラズマディスプレイ装置の駆動方法は、スキャン電極に第１の基底電圧から漸進的に立ち下がる第１のセットダウンパルスを供給し、前記第１の基底電圧より低いスキャン基準電圧から立ち下がるスキャンパルスを供給し、前記第１の基底電圧と同じような第１のサステイン基底電圧から立ち下がるか、又は前記スキャン基準電圧より低い第２のサステイン基底電圧から前記第１の基底電圧まで立ち上がるサステインパルスを供給するステップと、前記スキャン電極に前記第１のセットダウンパルスを供給する前に、第２の基底電圧から立ち下がる第２のセットダウンパルスをサステイン電極に供給し、前記第２の基底電圧と同じような第１のサステイン基底電圧から立ち下がるか、又は前記第２の基底電圧より低い第２のサステイン基底電圧から前記第２の基底電圧まで立ち上がるサステインパルスを供給するステップと、前記スキャン電極に前記スキャンパルスを供給する間、前記アドレス電極に第３の基準電圧から立ち上がるデータパルスの電圧を供給するステップとを含むことを特徴とする。
【００２９】
前記第２のセットダウンパルスが漸進的に立ち下がるパルスを備えることを特徴とする。
【００３０】
前記第１の基底電圧及び前記第２の基底電圧が、前記第３の基底電圧より小さいか、又は同じであることを特徴とする。
【００３１】
前記第１の基底電圧、前記第２の基底電圧及び前記第３の基底電圧が全てグラウンドレベルであることを特徴とする。
【発明の効果】
【００３２】
本発明の実施形態に係るプラズマディスプレイ装置は、低電圧で駆動することができ、駆動マージンを向上させ得るだけでなく、スキャン電極Ｙ、サステイン電極Ｚ及びアドレス電極Ｘ間の電圧レベルを考慮して駆動することにより駆動の信頼性を向上させ、パネルの寿命を増加させることができるという効果がある。
【発明を実施するための最良の形態】
【００３３】
以下、本発明の実施形態を添付された図面を参照して詳細に説明する。
【００３４】
図１は、本発明の一実施形態に係るプラズマディスプレイ装置を示した図である。
【００３５】
図１に示すように、本発明の一実施形態に係るプラズマディスプレイ装置は、外部から入力される映像データを映像処理して画像が実現されるプラズマディスプレイパネル１００と、プラズマディスプレイパネル１００に形成されたアドレス電極Ｘ１ないしＸｍにデータを供給するためのデータ駆動部２００と、スキャン電極Ｙ１ないしＹｎを駆動するためのスキャン駆動部３００と、共通電極のサステイン電極Ｚを駆動するためのサステイン駆動部４００と、それぞれの駆動部を制御するためのコントロール部５００と、それぞれの駆動部２００、３００、４００に必要な駆動電圧を供給するための駆動電圧発生部６００とを含む。
【００３６】
ここで、本発明の理解のために、図２を参照してプラズマディスプレイ装置の駆動方法の一例を説明する。
【００３７】
図２は、本発明のプラズマディスプレイ装置の画像階調を実現する方法の一例を示した図である。
【００３８】
図２に示すように、プラズマディスプレイパネルに画像を実現させるために、本発明のプラズマディスプレイ装置は、１フレームを複数のサブフィールドに分けて駆動することができる。すなわち、各サブフィールドを、全てのセルを初期化させるためのリセット期間、放電されたセルを選択するためのアドレス期間及び放電回数によって階調を実現するサステイン期間に分けて駆動することができる。
【００３９】
例えば、２５６階調で画像を表示しようとする場合、１／６０秒に該当するフレーム期間（１６．６７ｍｓ）は、８個のサブフィールドＳＦ１ないしＳＦ８に分けられるようになる。８個のサブフィールドＳＦ１ないしＳＦ８のそれぞれは前述したように、リセット期間ＲＰ、アドレス期間ＡＰ及びサステイン期間ＳＰに分けられる。この時、各サブフィールドのリセット期間ＲＰ及びアドレス期間ＡＰは、各サブフィールドごとに同じであるが、サステイン期間と、それに割り当てられるサステイン信号の数は、各サブフィールドにおいて２ｎ（ｎ＝０、１、２、３、４、５、６、７）の割合で増加される。このように、各サブフィールドにおいてサステイン期間が異なるようになるため、各サブフィールドのサステイン期間、すなわち、サステイン放電回数を調節して画像の階調を表現するようになる。
【００４０】
続いて、図１の本発明のプラズマディスプレイ装置の一実施形態を説明する。
【００４１】
図１の本発明の一実施形態に係るプラズマディスプレイ装置は、前述したプラズマディスプレイパネル１００と、それぞれの駆動部２００、３００、４００と、それぞれの駆動部を制御するためのコントロール部５００と、駆動電圧発生部６００とを含む。
【００４２】
プラズマディスプレイパネル１００は、前面基板（図示せず）と後面基板（図示せず）とが一定の間隔をおいて合着され、前面基板には一例として、複数の電極、例えば、スキャン電極Ｙ１ないしＹｎ及びサステイン電極Ｚが対をなして形成され、後面基板には、スキャン電極Ｙ１ないしＹｎ及びサステイン電極Ｚと交差されるようにアドレス電極Ｘ１ないしＸｍが形成される。
【００４３】
データ駆動部２００は、図示しない逆ガンマ補正回路、誤差拡散回路などにより逆ガンマ補正及び誤差拡散された後、サブフィールドマッピング回路により予め設定されたサブフィールドパターンにマッピングされたデータが供給される。このデータ駆動部２００は、タイミングコントローラ６００の制御下においてデータをサンプリングしラッチした後、そのデータに応じてデータパルスの電圧をアドレス電極（Ｘ１ないしＸｍ）に供給する。一例として、データパルスの電圧は、第３の基底電圧より大きいレベルを有するように供給され得るが、これに対する詳細な説明は、図４以下において述べる。
【００４４】
スキャン駆動部３００は、タイミングコントローラ６００の制御下においてリセット期間の間、スキャン電極Ｙ１ないしＹｎにリセット波形を印加して全画面に対応する放電セルを初期化する。一例として、第１の基底電圧から漸進的に立ち下がる第１のセットダウンパルスの電圧を供給して放電セルを初期化することができる。
【００４５】
また、スキャン駆動部３００は、リセット波形をスキャン電極Ｙ１ないしＹｎに供給した後、アドレス期間において第１の基底電圧以下のスキャン基準電圧−Ｖｓｃを供給し、スキャン基準電圧−Ｖｓｃから負極性レベルに立ち下がるスキャンパルスの電圧を供給してスキャン電極ラインをスキャンする。
【００４６】
なお、スキャン駆動部３００は、サステイン期間の間、アドレス期間において選択されたセルからサステイン放電が起こることができるようにするサステインパルスをスキャン電極Ｙ１ないしＹｎに供給する。一例として、スキャン電極に第１の基底電圧以下のレベルを有するサステインパルスを供給できるが、これに対する詳細な説明及び多様な実施形態は、図４以下において述べる。
【００４７】
サステイン駆動部４００は、タイミングコントローラ１６の制御下でリセット期間において第２のセットダウンパルスの電圧をサステイン電極Ｚに供給した後、サステイン期間の間、スキャン駆動部３００と交代に動作してサステインパルスをサステイン電極Ｚに供給する。一例として、サステイン電極に第１の基底電圧以下のレベルを有するサステインパルスを供給できるが、これに対する詳細な説明及び多様な実施形態は、図４以下において述べる。
【００４８】
上述したように、データ駆動部２００は、第３の基底電圧より大きいデータパルスの電圧を供給し、スキャン駆動部３００は、第１の基底電圧以下の駆動電圧を供給し、サステイン駆動部４００は、第２の基底電圧以下の駆動電圧を供給する。ここで、従来と差別的に本発明の一実施形態は、第１の基底電圧と第２の基底電圧とがデータパルスの電圧より小さいことを特徴とするが、これは、図３以下においてより詳細に説明する。
【００４９】
コントロール部５００は、垂直／水平同期信号を受信し、各駆動部に必要なタイミング制御信号ＣＴＲＸ、ＣＴＲＹ、ＣＴＲＺを発生し、そのタイミング制御信号ＣＴＲＸ、ＣＴＲＹ、ＣＴＲＺを当該駆動部２００、３００、４００に供給することにより、各駆動部２００、３００、４００を制御する。データ駆動部１３に印加されるタイミング制御信号ＣＴＲＸには、データをサンプリングするためのサンプリングクロック、ラッチ制御信号、エネルギー回収回路と駆動スイッチ素子のオン／オフタイムを制御するためのスイッチ制御信号が含まれる。
【００５０】
スキャン駆動部３００に印加されるタイミング制御信号ＣＴＲＹには、スキャン駆動部３００内のエネルギー回収回路と駆動スイッチ素子のオン／オフタイムを制御するためのスイッチ制御信号が含まれる。サステイン駆動部４００に印加されるタイミング制御信号ＣＴＲＺには、サステイン駆動部４００内のエネルギー回収回路と駆動スイッチ素子のオン／オフタイムを制御するためのスイッチ制御信号が含まれる。
【００５１】
駆動電圧発生部６００は、サステイン電圧Ｖｓ、スキャン基準電圧Ｖｓｃ、データ電圧Ｖａ、スキャン電圧−Ｖｙなどの各駆動部２００、３００、４００において必要とする各種駆動電圧を発生する。このような駆動電圧は、放電ガスの組成や放電セルの構造によって変わることができる。
【００５２】
以後、図面を参照して本発明の一実施形態に係るプラズマディスプレイ装置の詳細な構成を説明する。
【００５３】
図３は、本発明の一実施形態に係るプラズマディスプレイ装置の駆動部を具体的に示した図である。
【００５４】
図４は、本発明のプラズマディスプレイ装置の駆動波形の第１の実施形態を示した図である。
【００５５】
図３及び図４を共に説明すれば、本発明の一実施形態に係るプラズマディスプレイ装置の駆動部は、サブフィールド期間においてスキャン電極Ｙに第１の基底電圧以下の駆動電圧を供給するスキャン駆動部３００、サブフィールド期間においてサステイン電極Ｚに第２の基底電圧以下の駆動電圧を供給するサステイン駆動部４００及びアドレス電極Ｘに第３の基底電圧より大きい第３のデータパルス電圧を供給するデータ駆動部２００を含む。
【００５６】
ここで、プラズマディスプレイパネルは、スキャン電極Ｙとサステイン電極Ｚとの間に形成される等価キャパシタＣｐ１、スキャン電極Ｙとアドレス電極Ｘとの間に形成される等価キャパシタＣｐ２及びサステイン電極Ｚとアドレス電極Ｘとの間に形成される等価キャパシタＣｐ３として示すことができる。
【００５７】
上述した本発明の一実施形態は一例として、第１の基底電圧と第２の基底電圧が第３の基底電圧より小さいか、又は、同じであり得る。また、第１の基底電圧、第２の基底電圧及び前記第３の基底電圧は全て同じレベルでもあり得る。
【００５８】
また、ここで、サブフィールド期間は、リセット期間、アドレス期間及びサステイン期間を含む全体期間を意味する。
【００５９】
このような本発明の一実施形態に係るプラズマ装置は、駆動の安定性を向上させることができる。また、プラズマディスプレイ装置の駆動の際、部品の損傷を最小化し、寿命を向上させることができる。例えば、スキャン電極Ｙ及びサステイン電極Ｚの電位をアドレス電極Ｘより高くしてアドレス電極Ｘ側の損傷、すなわち、蛍光体の損傷を防止できるようになる。これにより、高輝度を実現させ、パネルの寿命を向上させることができる。
【００６０】
また、従来には、上述したスキャン電極Ｙ及びサステイン電極Ｚに高電圧が印加されて放電が発生すれば、スキャン電極Ｙとサステイン電極Ｚとの間に形成される等価キャパシタＣｐ１放電電流が過度に流れる。この時、過電流は、スキャン電極Ｙとアドレス電極Ｘとの間に形成される等価キャパシタＣｐ２及びサステイン電極Ｚとアドレス電極Ｘとの間に形成される等価キャパシタＣｐ３を通してアドレス電極Ｘ側に流れ込み、アドレス電極Ｘの損傷、すなわち、蛍光体の損傷を引き起こすだけでなく、データ駆動ＩＣにも致命的な影響を及ぼすようになるが、本発明は、低電圧で駆動することによりアドレス電極Ｘ側のデータ駆動ＩＣのみならず、蛍光体の損傷を最小化してプラズマディスプレイ装置の寿命を向上させることができるものである。
【００６１】
また、このような低電圧駆動によって駆動マージンを向上させ、駆動回路を簡単に構成することができる。また、駆動部の損傷を最小化して駆動の信頼性を向上させることができる。
【００６２】
なお、本発明の他の実施形態に係るプラズマディスプレイ装置においてスキャン駆動部３００は、サブフィールド期間においてスキャン電極Ｙに印加される全ての駆動パルスを負極性で印加することができる。サステイン駆動部４００は、サブフィールド期間においてサステイン電極Ｚに印加される全ての駆動パルスを負極性で印加できる。データ駆動部２００は、アドレス電極Ｘに正極性のデータパルスの電圧を供給することができる。
【００６３】
このような本発明の他の実施形態に係るプラズマ装置は、駆動の安定性を向上させることができる。また、プラズマディスプレイ装置の駆動時、部品の損傷を最小化し、寿命を向上させることができる。例えば、負の電圧で駆動時、低電圧駆動が可能であり、正の電圧と負の電圧の両方を使用して駆動していた従来より駆動回路素子に与える影響を最小化させることができる。また、低電圧駆動で定格電圧の低い素子を使用でき、製造単価を低減させる。スイッチ素子及び電圧供給源もやはり簡単に構成でき、回路動作の信頼性を高めることができるという効果がある。
【００６４】
以後、上述した本発明の実施形態に係るプラズマディスプレイ装置の駆動部を詳細に説明する。
【００６５】
スキャン駆動部３００は、リセット期間ＲＰに第１の基底電圧から漸進的に立ち下がる第１のセットダウンパルスの電圧をスキャン電極Ｙに供給し、アドレス期間ＡＰに第１の基底電圧ＧＮＤ１以下のスキャン基準電圧Ｖｓｃを維持している途中でスキャン基準電圧Ｖｓｃから立ち下がるスキャンパルスの電圧をスキャン電極Ｙに供給する。サステイン期間には、サステインパルスの電圧をスキャン電極Ｙに供給する。
【００６６】
このようなスキャン駆動部３００は、第１のセットダウン電圧供給部３３０、スキャン電圧供給部３４０、スキャン基準電圧供給部３２０、第１のサステインパルス供給部３１０及びスキャン集積回路３５０を含む。
【００６７】
第１のセットダウン電圧供給部３３０は、スキャン電極Ｙに第１の基底電圧から負極性の第１のセットダウン電圧Ｖｓｅｔ ｄｎ１まで所定の傾きで立ち下がる立ち下がりランプ波形を供給する。
【００６８】
第１のセットダウン電圧供給部３３０は、第１のノードＮ１においてスキャン電圧供給部３４０とサステインパルス供給部３１０とに並列に共通接続されている。第１のセットダウン電圧供給部３３０は、リセット期間ＲＰの所定期間Ｔ２の間、第１の基底電圧ＧＮＤ１から第１のセットダウン電圧−Ｖｓｅｔ ｄＮ１まで所定の傾きで立ち下がる立ち下がりランプ波形をスキャン電極Ｙに供給する。このような第１のセットダウン電圧供給部３３０は、第１のノードＮ１と負極性のセットダウンパルスの電圧源との間に接続された第１のスイッチＳＷ１と、該第１のスイッチＳＷ１のゲート端子に接続された第１の可変抵抗Ｒ１とを含むことができる。
【００６９】
スキャン基準電圧供給部３２０は、第１のセットダウン電圧供給部３３０に並列に接続され、スキャン電極Ｙにスキャン基準電圧Ｖｓｃを供給する。
【００７０】
スキャン基準電圧供給部３２０は、第２のノードＮ２においてスイッチ素子ＳＷ２、ＳＷ３を含むスキャン集積回路３５０に直列に接続されている。スキャン基準電圧供給部３２０は、第２のスイッチＳＷ２がオンされれば、第２のノードＮ２を通してアドレス期間ＡＰの所定期間Ｔ３、Ｔ５の間、スキャン電極Ｙに第１の基底電圧、例えば、ＧＮＤ１より低いスキャン基準電圧−Ｖｓｃを供給する。また、他の例として、スキャン基準電圧−Ｖｓｃは、負極性であり得る。
【００７１】
スキャン電圧供給部３４０は、第１のセットダウン電圧供給部３３０とスキャン基準電圧供給部３２０とに並列に共通接続され、スキャン電極Ｙにスキャン電圧−Ｖｙを供給する。
【００７２】
スキャン電圧供給部３４０は、第１のノードＮ１において第１のセットダウン電圧供給部３３０に並列に接続されている。スキャン電圧供給部３４０は、一例として、アドレス期間ＡＰの所定時間Ｔ４の間、スキャン基準電圧−Ｖｓｃから立ち下がるスキャンパルスの電圧−Ｖｙをスキャン電極Ｙに供給する。このようなスキャン電圧供給部３４０は、スキャン電圧源−Ｖｙと第１のノードＮ１との間に接続された第４のスイッチＳＷ４を含む。
【００７３】
第１のサステインパルス供給部３１０は、第１のセットダウン電圧供給部３３０とスキャン電圧供給部３４０とに並列に共通接続され、スキャン電極Ｙにサステインパルスｓｐを供給する。一例として、第１のサステインパルス供給部３１０は、サステインパルスの供給のために、スキャン電極Ｙに第１の基底電圧を供給する第１の基底電圧供給部３１１と、スキャン電極Ｙにサステイン電圧Ｖｓを供給する第１のサステイン電圧供給部３１２とを含むことができる。
【００７４】
第１のサステインパルス供給部３１０は、サステイン期間ＳＰのうち、特定期間Ｔ６ないしＴ９の間、スキャン電極Ｙに第１の基底電圧以下のサステインパルスを供給する。本発明のプラズマディスプレイ装置の駆動波形の第１の実施形態では、図４に示すように、第１の基底電圧より低いレベルの電圧から第１の基底電圧まで立ち上がるサステインパルスをスキャン電極Ｙに供給することができる。例えば、負極性のサステイン電圧−Ｖｓからグラウンドレベル電圧ＧＮＤ１まで立ち上がるサステインパルスを供給することができる。このような第１のサステインパルス供給部３１０は、負極性のサステイン電圧−Ｖｓを供給する第１のサステイン電圧供給部３１２と、第１の基底電圧ＧＮＤ１を供給する第１の基底電圧供給部３１１とからなる。
【００７５】
第１のサステイン電圧供給部３１２は、第１のノードＮ１に接続され、サステイン期間のうち、特定期間Ｔ６ないしＴ９の間、第１の基底電圧供給部３１１がスキャン電極Ｙに供給する基底電圧ＧＮＤ１と交番にスキャン電極Ｙにサステイン電圧−Ｖｓを供給する。このような第１のサステイン電圧供給部３１２は、負極性のサステイン電圧源−Ｖｓと第１のノードＮ１との間に接続された第５のスイッチＳＷ５を含む。
【００７６】
第５のスイッチＳＷ５は、コントロール部が供給するスイッチング制御信号に応答し、負極性のサステイン電圧源−Ｖｓを第１のノードＮ１に電気的に接続させる。
【００７７】
第１の基底電圧供給部３１１は、第１のノードＮ１に接続され、サステイン期間にスキャン電極Ｙに第１の基底電圧ＧＮＤ１を供給する。このような第１の基底電圧供給部３１１は、基底電圧源ＧＮＤ１と第１のセットダウン電圧供給部３３０及び第１のサステイン電圧供給部３１２の共通ノードである第１のノードＮ１間に接続された第６のスイッチＳＷ６を含む。
【００７８】
第６のスイッチＳＷ６は、コントロール部５００が供給するスイッチング制御信号に応答し、基底電圧源ＧＮＤ１を第１のノードＮ１に電気的に接続させる。これにより、サステイン期間に第１のノードＮ１には基底電圧ＧＮＤ１が伝達される。
【００７９】
このような第６のスイッチＳＷ６は、サステイン期間の間、第５のスイッチＳＷ５と交番に動作する。これにより、サステイン期間に第１のノードＮ１には基底電圧ＧＮＤ１及び一例として、負極性のサステイン電圧−Ｖｓが交番に伝達される。
【００８０】
スキャン集積回路３５０は、第１のノードＮ１と、スキャン基準電圧供給源−Ｖｓｃとの間にプッシュプル型で接続される第２のスイッチＳＷ２及び第３のスイッチＳＷ３を含む。ここで、第２のスイッチＳＷ２と第３のスイッチＳＷ３との共通ノードＮ２はスキャン電極Ｙに接続される。
【００８１】
第２のスイッチＳＷ２は、コントロール部のスイッチング制御信号によりスキャン基準電圧供給源−Ｖｓｃと第２のノードＮ２との間に接続され、スキャン電極Ｙにスキャン基準電圧−Ｖｓｃの供給を制御する。第３のスイッチＳＷ３は、第２のノードＮ２と第１のノードＮ１との間に接続され、コントロール部のスイッチング制御信号によって第１のノードＮ１に接続された第１のセットダウン電圧供給部３３０及びスキャン電圧供給部３４０、第１のサステイン電圧供給部３１２、第１の基底電圧供給部３１１を第２のノードＮ２に接続されたスキャン電極Ｙに負極性の第１のセットダウン電圧−Ｖｓｅｔ ｄｎ及びスキャン電圧−Ｖｙ、第１のサステイン電圧−Ｖｓ、第１の基底電圧ＧＮＤ１の供給を制御する。
【００８２】
サステイン駆動部４００は、サブフィールド期間において第２の基底電圧ＧＮＤ２以下の駆動電圧をサステイン電極Ｚに供給する。一例として、リセット期間ＲＰに第２の基底電圧ＧＮＤ２から立ち下がる第２のセットダウンパルスの電圧−Ｖｓｅｔ ｄｎ２をサステイン電極Ｚに供給し、サステイン期間において第２の基底電圧ＧＮＤ２以下、一例として、第２の基底電圧ＧＮＤ２、又は第２の基底電圧ＧＮＤ２より低いサステイン電圧−Ｖｓを有する第２のサステインパルスをスキャン電極Ｙに印加される第１のサステインパルスと交番にサステイン電極Ｚに供給する。
【００８３】
このようなサステイン駆動部４００は、第２のサステインパルス供給部４１０及び第２のセットダウン電圧供給部４２０を含む。
【００８４】
第２のセットダウン電圧供給部４２０は、リセット期間ＲＰの所定期間Ｔ１に第２の基底電圧ＧＮＤ２から立ち下がる第２のセットダウン電圧−Ｖｓｅｔ ｄｎ２をサステイン電極Ｚに供給する。一例として、グラウンドレベルの第２の基底電圧ＧＮＤ２から負極性の特定電圧まで立ち下がる第２のセットダウン電圧−Ｖｓｅｔ ｄｎ２が供給され得る。
【００８５】
第２のセットダウン電圧供給部４２０は、第２のセットダウン電圧源−Ｖｓｅｔｄｎ２とサステイン電極Ｚとの間に位置する第７のスイッチＳＷ７と、該第７のスイッチＳＷ７のゲート端子に接続された第２の可変抵抗Ｒ２とを含む。
【００８６】
第７のスイッチＳＷ７は、コントロール部が供給したスイッチング制御信号に応答し、第２のセットダウン電圧源−Ｖｓｅｔ ｄｎ２をサステイン電極Ｚと電気的に接続させる。この時、第２の可変抵抗Ｒ２は、第２のセットダウン電圧源−Ｖｓｅｔ ｄｎ２から供給される第２のセットダウン電圧−Ｖｓｅｔ ｄｎの傾きを制御することができる。
【００８７】
第２のサステインパルス供給部４１０は、サステイン期間の間、第２のサステインパルスをサステイン電極Ｚに供給する。本発明のプラズマディスプレイ装置の駆動波形の第１の実施形態では図４に示すように、第２の基底電圧より低いレベルの電圧から第２の基底電圧まで立ち上がるサステインパルスをサステイン電極Ｚに供給することができる。例えば、負極性のサステイン電圧−Ｖｓからグラウンドレベルの電圧ＧＮＤ２まで立ち上がるサステインパルスを供給することができる。
【００８８】
このような第２のサステインパルス供給部４１０は、サステイン電圧−Ｖｓを供給する第２のサステイン電圧供給部４１２と、第２の基底電圧ＧＮＤを供給する第２の基底電圧供給部４１１とを含む。
【００８９】
第２のサステイン電圧供給部４１２は、サステイン電極Ｚに接続され、サステイン期間の間、サステイン電極Ｚにサステイン電圧−Ｖｓを供給する。このような第２のサステイン電圧供給部４１２は一例として、負極性のサステイン電圧を供給するサステイン電圧源−Ｖｓとサステイン電極Ｚとの間に接続された第８のスイッチＳＷ８を含む。
【００９０】
第８のスイッチＳＷ８は、コントロール部が供給するスイッチング制御信号に応じてサステイン電圧源−Ｖｓをサステイン電極Ｚに電気的に接続させる。これにより、サステイン期間にサステイン電極Ｚには負極性のサステイン電圧−Ｖｓが供給される。
【００９１】
第２の基底電圧供給部４１０は、サステイン電極Ｚに接続され、アドレス期間の間、サステイン電極Ｚに第２の基底電圧ＧＮＤ２を供給することができる。また、サステイン期間の間、第２のサステイン電圧供給部４１２と交番にサステイン電極Ｚに第２の基底電圧ＧＮＤ２を供給する。このような第２の基底電圧供給部４１０は、第２の基底電圧源ＧＮＤ２とサステイン電極Ｚとの間に接続された第９のスイッチＳＷ９を含む。
【００９２】
第９のスイッチＳＷ９は、コントロール部が供給するスイッチング制御信号に応答し、第２の基底電圧源ＧＮＤ２をサステイン電極Ｚと電気的に接続させる。このような第９のスイッチＳＷ９は、サステイン期間の間、第８のスイッチＳＷ８と交番に動作する。これにより、サステイン電極Ｚに第２の基底電圧ＧＮＤ２及び負極性のサステイン電圧−Ｖｓが交番に供給される。
【００９３】
一方、上記で説明したそれぞれのスイッチ素子ＳＷ１ないしＳＷ９は、ボディーダイオードを含む電界効果トランジスタＦＥＴ（Field Effect Transistor）を使用することができる。しかし、これに限定されない。
【００９４】
データ駆動部２００は、第３の基底電圧ＧＮＤ３より大きいデータ電圧Ｖａをアドレス電極Ｘに供給する。データ駆動部２００は、図示しなかったが、第３の基底電圧供給部及びデータ電圧供給部を含んで、アドレス期間ＡＰのうち、特定期間Ｔ４に第３の基底電圧ＧＮＤ３とデータ電圧Ｖａとを有するデータパルスをアドレス電極Ｘに供給するようになる。一例として、グラウンドレベルの第３の基底電圧ＧＮＤ３より高い正極性のデータ電圧Ｖａをアドレス電極Ｘに供給することができる。
【００９５】
ここで、スキャン駆動部３００が供給する基準電圧である第１の基底電圧ＧＮＤ１と、サステイン駆動部４００が供給する基準電圧である第２の基底電圧ＧＮＤ２とをデータパルスの電圧Ｖａより小さくする。これは一例として、サステイン期間ＳＰの間、スキャン電極Ｙ及びサステイン電極Ｚの放電によって発生する電流によるアドレス電極Ｘに及ぼす影響を最小化する。すなわち、アドレス電極Ｘに流れ込む過電流によるデータＩＣの破損（fail）を防止できるものである。
【００９６】
また、一例として、第１の基底電圧ＧＮＤ１及び第２の基底電圧ＧＮＤ２は、第３の基底電圧ＧＮＤ３より小さいか、又は同じであり得る。また、第１の基底電圧ＧＮＤ１、第２の基底電圧ＧＮＤ２及び第３の基底電圧ＧＮＤ３は全て同じようなレベル、例えば、グラウンドレベルなど、様々に実施可能である。
【００９７】
このように、スキャン駆動部３００及びサステイン駆動部４００がサブフィールド期間、すなわち、リセット、アドレス及びサステイン期間に供給される全ての駆動電圧を、アドレス電極Ｘに供給されるデータ電圧のレベルより小さくして駆動の安定性を向上させる。
【００９８】
例えば、スキャン電極Ｙ及びサステイン電極Ｚに供給される駆動電圧を負極性を使用して低電圧駆動できるという効果がある。また、スキャン電極Ｙ及びサステイン電極Ｚに負極性の電圧を印加すれば、放電気体のうち、質量の大きい陽イオンがスキャン電極Ｙ及びサステイン電極Ｚの方に移動してアドレス電極Ｘ側の蛍光体の損傷を防止し、輝度を向上させることができるだけでなく、パネルの寿命を向上させることもできる。
【００９９】
また、正極性電圧と負極性電圧を同時に使用していた従来の駆動部に存在する経路パススイッチ素子を減少させることができ、定格電圧の低いスイッチ素子を使用することも可能なようにする。これにより、製造単価を大幅減らすことができるという効果がある。
【０１００】
これに加えて、駆動部の構成も簡素化して駆動特性を向上させることができる。
【０１０１】
図５は、本発明のプラズマディスプレイ装置の駆動波形の第２の実施形態を示したものである。
【０１０２】
図５に示すように、本発明の実施形態に係るプラズマディスプレイ装置の駆動方法は、サブフィールドをリセット期間ＲＰ、アドレス期間ＡＰ及びサステイン期間ＳＰに分けて駆動することができる。
【０１０３】
リセット期間ＲＰにおいてスキャン電極Ｙに第１の基底電圧ＧＮＤ１から漸進的に立ち下がる第１のセットダウンパルスの電圧−Ｖｓｅｔ ｄｎ１を供給する。また、一例として、スキャン電極Ｙに第１のセットダウンパルス−Ｖｓｅｔ ｄｎ１を供給する前に、第２の基底電圧ＧＮＤ２から立ち下がる第２のセットダウンパルスの電圧−Ｖｓｅｔ ｄｎ２をサステイン電極Ｚに供給することができる。ここで、第２のセットダウンパルスは、漸進的に立ち下がるパルスを含むことができる。すなわち、第２の基底電圧ＧＮＤから第２の基底電圧より低い所定電圧レベルまで急に立ち下がっている途中で第２のセットダウン電圧−Ｖｓｅｔ ｄｎ２まで漸進的に立ち下がることができる。
【０１０４】
アドレス期間ＡＰは、スキャン電極Ｙに第１の基底電圧ＧＮＤ１より低いスキャン基準電圧−Ｖｓｃから立ち下がるスキャンパルスの電圧−Ｖｙを供給する。また、スキャン電極Ｙにスキャンパルスの電圧−Ｖｙを供給する間、アドレス電極Ｘに第３の基底電圧ＧＮＤ３から立ち上がるデータパルスの電圧Ｖａを供給する。
【０１０５】
サステイン期間ＳＰでは、スキャン電極Ｙとサステイン電極Ｚとにサステインパルスｓｐを供給する。ここで、本発明のプラズマディスプレイ装置の駆動波形の第２の実施形態では、図４の第１の実施形態と異なるように、サステインパルスを調節する。
【０１０６】
具体的には、スキャン電極Ｙに第１の基底電圧ＧＮＤ１から立ち下がる第１のサステインパルスを供給でき、サステイン電極Ｚに第２の基底電圧ＧＮＤ２から立ち下がる第２のサステインパルスを第１のサステインパルスと交番に供給することができる。例えば、グラウンドレベルの第１の基底電圧ＧＮＤ１と第２の基底電圧ＧＮＤ２から負極性のサステイン電圧−Ｖｓまで立ち下がるサステインパルスを供給できる。
【０１０７】
ここで、一例として、第１の基底電圧ＧＮＤ１及び第２の基底電圧ＧＮＤ２は、第３の基底電圧ＧＮＤ３より小さいか、又は同じであり得る。また、第１の基底電圧ＧＮＤ１、第２の基底電圧ＧＮＤ２及び第３の基底電圧ＧＮＤ３は全て同じようなレベル、例えば、グラウンドレベルなど様々に実施可能である。
【図面の簡単な説明】
【０１０８】
【図１】本発明の一実施形態に係るプラズマディスプレイ装置を示した図である。
【図２】本発明のプラズマディスプレイ装置の画像階調を実現する方法の一例を示した図である。
【図３】本発明の一実施形態に係るプラズマディスプレイ装置の駆動部を示した図である。
【図４】本発明のプラズマディスプレイ装置の駆動波形の第１の実施形態を示した図である。
【図５】本発明のプラズマディスプレイ装置の駆動波形の第２の実施形態を示した図である。
【図１】
2007011378.tif 000003
【図２】
2007011378.tif 000004
【図３】
2007011378.tif 000005
【図４】
2007011378.tif 000006
【図５】
2007011378.tif 000007